(57)【要約】      （修正有）【課題】貯留ボウルに貯留されるコインの数量が少なくなった場合でも、コインを払出す時間が長くなることを低減することができる。【解決手段】コイン払出制御装置は、払出モータの回転を制御する回転制御部と、貯留ボウルに貯留されるコインの数量が所定数量まで減少したか否かを判断する判断部と、貯留ボウルに貯留されるコインの数量が所定数量まで減少したことが判断されないときに、所定の回転速度での回転を指令する第１指令を生成し、貯留ボウルに貯留されるコインの数量が所定数量まで減少したことが判断されたときに、所定の回転速度より低い回転速度での回転、または、所定時間の回転の停止を指令する第２指令を生成する指令部と、を備える。回転制御部は、指令部が生成する第１指令、または第２指令に従って、払出モータの回転を制御する。【選択図】図７
2016220729.tif 000002
【特許請求の範囲】
【請求項１】
コインを貯留する貯留ボウルと、貯留ボウルの内部で回転可能に配置され、コインを受け入れる受入部が形成される回転ディスクと、回転ディスクを回転させる払出モータと、を備えるコインホッパにおいて、
払出モータの回転を制御する回転制御部と、
貯留ボウルに貯留されるコインの数量が所定数量まで減少したか否かを判断する判断部と、
判断部が、貯留ボウルに貯留されるコインの数量が所定数量まで減少したことを判断しないときに、所定の回転速度での回転を指令する第１指令を生成し、判断部が、貯留ボウルに貯留されるコインの数量が所定数量まで減少したことを判断したときに、所定の回転速度より低い回転速度での回転、または、所定時間の回転の停止を指令する第２指令を生成する指令部と、を備え、
回転制御部は、指令部が生成する第１指令、または第２指令に従って、払出モータの回転を制御するコイン払出制御装置。
【請求項２】
判断部は、貯留ボウルに貯留されるコインの数量に応じて変化するパラメータを発生するパラメータ発生部を含み、
判断部は、パラメータ発生部により発生されるパラメータの数値がコインの所定数量に相当する数値まで減少したか否かを判断する請求項１に記載のコイン払出制御装置。
【請求項３】
払い出されるコインを検出するコイン検出部を備え、
パラメータ発生部は、コイン払出指令を受け取った時点から、コイン検出部が最初に払い出されるコインを検出しない状態で経過した第１経過時間を示すパラメータを発生し、
判断部は、パラメータ発生部により発生されるパラメータの第１経過時間がコインの所定数量に相当する所定の経過時間まで長くなったか否かを判断し、
判断部が、パラメータの第１経過時間が所定の経過時間まで長くなったことを判断したときに、指令部は第２指令を生成する請求項２に記載のコイン払出制御装置。
【請求項４】
パラメータ発生部は、コイン検出部がコインを検出した時点から経過した第２経過時間を示すパラメータを発生し、
判断部は、パラメータ発生部により発生されるパラメータの第２経過時間がコインの所定数量に相当する所定の経過時間まで長くなったか否かを判断し、
判断部が、パラメータの第２経過時間が所定の経過時間まで長くなったことを判断したときに、指令部は第２指令を生成する請求項３に記載のコイン払出制御装置。
【請求項５】
回転制御部は、指令部が第１指令を生成した後に第２指令を生成する場合に、その第２指令に従って、所定時間の間、払出モータの回転を停止し、その後に、所定の回転速度、または、所定の回転速度より低い回転速度で、払出モータを回転させる請求項１乃至請求項４のいずれかに記載のコイン払出制御装置。
【請求項６】
回転制御部は、指令部が第１指令を生成した後に第２指令を生成する場合に、その第２指令に従って、所定時間の間、所定の回転速度より低い回転速度で、払出モータを回転させ、その後に、所定の回転速度で、払出モータを回転させる請求項１乃至請求項４のいずれかに記載のコイン払出制御装置。
【請求項７】
パラメータ発生部は、払出モータに加わる負荷の大きさを測定する負荷測定部を含み、負荷測定部が測定した負荷の大きさを示すパラメータを発生し、
判断部は、パラメータ発生部により発生されるパラメータの負荷の大きさがコインの所定数量に相当する所定の負荷の大きさまで小さくなったか否かを判断し、
判断部が、パラメータの負荷の大きさが所定の負荷の大きさまで小さくなったことを判断したときに、指令部は第２指令を生成する請求項２、請求項５、および請求項６のいずれかに記載のコイン払出制御装置。
【請求項８】
請求項１乃至請求項７のいずれかに記載のコイン払出制御装置を備えるコインホッパ。
【発明の詳細な説明】
【技術分野】
【０００１】
本発明は、遊技機などの機器に備えられるコインホッパからのコインの払出動作を制御する制御装置に関する。詳細には、多数のコインを貯留する貯留ボウルと、貯留されるコインの受入部が形成される回転ディスクを回転させる払出モータとを備えるコインホッパにおいて、貯留ボウルに貯留されるコインの数量に応じて払出モータの回転を制御する制御装置に関する。
【背景技術】
【０００２】
従来、スロットマシンなどの遊技機に備えられるコインホッパの構成はよく知られている。たとえば、特許文献１に記載のコインホッパは、貯留ボウルと、回転ディスクと、払出モータとを備える。通常、遊技機が所定の「役」に入賞したことを決定すると、所定枚数のコインを払い出す指令をコインホッパに送る。コインホッパは、払出指令に従って、払出モータを一定の回転速度で回転させる。払出モータの回転により、回転ディスクが回転され、回転ディスクの受入部に受け入れられたコインがコインホッパの投出口から順次払い出される。
【先行技術文献】
【特許文献】
【０００３】
【特許文献１】特開２０１３−１７８６９２号公報
【発明の概要】
【発明が解決しようとする課題】
【０００４】
貯留ボウルに貯留されるコインの数量が少なくなると、回転ディスクの回転時に、受入部に受け入れられる前のコインが、回転している受入部の端縁に衝突することにより、貯留ボウル内で飛び跳ねる現象が発生することがある。この飛び跳ねる現象が発生すると、コインが受入部に嵌るまでの時間が長くなり、所定枚数のコインを払出す時間が長くなる問題がある。
【０００５】
そこで、本発明は、上記の問題に鑑みてなされたものであり、貯留ボウルに貯留されるコインの数量が少なくなった場合でも、コインを払出す時間が長くなることを低減することができるコイン払出制御装置を提供することを目的とする。
【課題を解決するための手段】
【０００６】
（第１の発明態様およびその具体的態様）
請求項１に記載の第１の発明態様は、コインを貯留する貯留ボウルと、貯留ボウルの内部で回転可能に配置され、コインを受け入れる受入部が形成される回転ディスクと、回転ディスクを回転させる払出モータと、を備えるコインホッパにおいて、払出モータの回転を制御する回転制御部と、貯留ボウルに貯留されるコインの数量が所定数量まで減少したか否かを判断する判断部と、判断部が、貯留ボウルに貯留されるコインの数量が所定数量まで減少したことを判断しないときに、所定の回転速度での回転を指令する第１指令を生成し、判断部が、貯留ボウルに貯留されるコインの数量が所定数量まで減少したことを判断したときに、所定の回転速度より低い回転速度での回転、または、所定時間の回転の停止を指令する第２指令を生成する指令部と、を備え、回転制御部は、指令部が生成する第１指令、または第２指令に従って、払出モータの回転を制御する構成である。
【０００７】
本発明態様は、コイン払出制御装置に係るものであるが、コイン払出制御装置は、コインホッパに組み込まれて構成されてもよいし、スロットマシンなどの遊技機、または自動販売機などの機器の全体動作を制御する制御装置に組み込まれて構成されてもよい。また、コインは、メダル、トークン、または通貨などの交換価値を有する物を意味する。
【０００８】
本発明態様では、貯留ボウルに貯留されるコインの数量が所定数量まで減少したか否かを判断する判断部の構成として、種々の構成が考えられる。たとえば、貯留ボウルに貯留されるコインの数量として、コインが貯留される貯留ボウルの重量を測定する重量測定部を含む構成であってもよいし、払出モータに加わる負荷の大きさを測定する負荷測定部を含む構成であってもよいし、コインの払出時間間隔を測定する間隔測定部を含む構成であってもよい。
【０００９】
本発明態様では、所定数量は、貯留ボウルの内部でコインが飛び跳ねる現象が発生し始める時点において、貯留ボウルに貯留されるコインの数量である。一般的には、回転ディスクに接触して載せられるコインのすぐ上に、積載されるコインの数量が少なくなれば、回転ディスクに接触するコインが、その積載されるコインの重量を受けなくなり、飛び跳ねる現象が発生する。通常は、飛び跳ねる現象が発生し始める時点でのコインの数量は２０枚程度の数量である。
【００１０】
本発明態様では、第１指令が指令する所定の回転速度は、一定の回転速度であってもよいし、払い出されるコインの枚数に応じて変化する回転速度であってもよい。
【００１１】
本発明態様では、第２指令が指令する低い回転速度は、貯留ボウルの内部でコインの飛び跳ねを低減することができるように定められる回転速度であり、貯留ボウル、および回転ディスクなどの機械的構成と、払出モータの特性とに応じて決定され、実験を通して決定される。
【００１２】
本発明態様では、第２指令が指令する所定時間の回転の停止について、所定時間は、貯留ボウルの内部でコインの飛び跳ねが収まるのに必要な時間であり、貯留ボウル、および回転ディスクなどの機械的構成と、払出モータの特性とに応じて決定され、実験を通して決定される。
【００１３】
本発明態様では、判断部の判断動作は、遊技機などの機器からのコイン払出指令を受け取った後に実行される構成であってもよいし、遊技機などの機器からのコイン払出指令を受け取った時点とは関係ないしに、実行される構成であってもよい。
【００１４】
本発明態様では、指令部は、所定の回転速度より低い回転速度での回転を指令する第２指令を、所定枚数のコインの払出動作の全期間にわたって継続して生成する構成であってもよいし、所定の回転速度より低い回転速度での回転を所定時間だけ指令する第２指令を少なくとも１回生成する構成であってもよい。後者の構成である場合、所定の回転速度での回転と、低い回転速度での回転とが交互に実行されることになる。
【００１５】
本発明態様では、指令部は、遊技機からのコイン払出指令に従って、所定の回転速度で払出モータが回転された後に、または、貯留ボウルに貯留されるコインの数量が所定数量まで減少しているときには、遊技機からのコイン払出指令に従って、所定の回転速度より低い回転速度で払出モータが回転された後に、所定時間の回転の停止を指令する第２指令を少なくとも１回生成する構成であればよい。
【００１６】
請求項２に記載の具体的態様では、判断部は、貯留ボウルに貯留されるコインの数量に応じて変化するパラメータを発生するパラメータ発生部を含み、判断部は、パラメータ発生部により発生されるパラメータの数値がコインの所定数量に相当する数値まで減少したか否かを判断する。
【００１７】
本具体的態様では、貯留ボウルに貯留されるコインの数量に応じて変化するパラメータとして、貯留ボウルに貯留されるコインの重量、払出モータの負荷の大きさ、または、コイン払出時間間隔などが考えられる。
【００１８】
請求項３に記載の具体的態様は、払い出されるコインを検出するコイン検出部を備え、パラメータ発生部は、コイン払出指令を受け取った時点から、コイン検出部が最初に払い出されるコインを検出しない状態で経過した第１経過時間を示すパラメータを発生し、判断部は、パラメータ発生部により発生されるパラメータの第１経過時間がコインの所定数量に相当する所定の経過時間まで長くなったか否かを判断し、判断部が、パラメータの第１経過時間が所定の経過時間まで長くなったことを判断したときに、指令部は第２指令を生成する。
【００１９】
請求項４に記載の具体的態様では、パラメータ発生部は、コイン検出部がコインを検出した時点から経過した第２経過時間を示すパラメータを発生し、判断部は、パラメータ発生部により発生されるパラメータの第２経過時間がコインの所定数量に相当する所定の経過時間まで長くなったか否かを判断し、判断部が、パラメータの第２経過時間が所定の経過時間まで長くなったことを判断したときに、指令部は第２指令を生成する。
【００２０】
本具体的態様では、パラメータの経過時間は、先のコインを検出した時点と、次のコインを検出した時点との間において、先のコインを検出した時点から経過した時間であってもよいし、先のコインを検出した時点と、次のコインを検出した時点との間の時間間隔であってもよい。
【００２１】
請求項５に記載の具体的態様では、回転制御部は、指令部が第１指令を生成した後に第２指令を生成する場合に、その第２指令に従って、所定時間の間、払出モータの回転を停止し、その後に、所定の回転速度、または、所定の回転速度より低い回転速度で、払出モータを回転させる。
【００２２】
請求項６に記載の具体的態様では、回転制御部は、指令部が第１指令を生成した後に第２指令を生成する場合に、その第２指令に従って、所定時間の間、所定の回転速度より低い回転速度で、払出モータを回転させ、その後に、所定の回転速度で、払出モータを回転させる。
【００２３】
請求項５、および請求項６に記載の具体的態様では、判断部は、遊技機などの機器からのコイン払出指令を受け取った後に、貯留ボウルに貯留されるコインの数量が所定数量まで減少したか否かを判断する構成であってもよいし、判断部は、遊技機などの機器からのコイン払出指令を受け取った時点とは関係なしに、貯留ボウルに貯留されるコインの数量が所定数量まで減少したか否かを判断する構成であってもよい。判断部が前者の構成である場合、指令部は、遊技機などの機器からのコイン払出指令を受け取った後に、第２指令を生成する構成となる。判断部が後者の構成である場合、指令部は、遊技機などの機器からのコイン払出指令を受け取った時点とは関係なしに、第２指令を生成する構成となる。
【００２４】
請求項７に記載の具体的態様では、パラメータ発生部は、払出モータに加わる負荷の大きさを測定する負荷測定部を含み、負荷測定部が測定した負荷の大きさを示すパラメータを発生し、判断部は、パラメータ発生部により発生されるパラメータの負荷の大きさがコインの所定数量に相当する所定の負荷の大きさまで小さくなったか否かを判断し、判断部が、パラメータの負荷の大きさが所定の負荷の大きさまで小さくなったことを判断したときに、指令部は第２指令を生成する。
【００２５】
本具体的態様では、負荷測定部は、払出モータの駆動電流を測定する回路を含む構成であってもよいし、トルク検出器を含む構成であってもよい。
【００２６】
（第２の発明態様およびその具体的態様）
請求項８に記載の第２の発明態様は、請求項１乃至請求項７のいずれかに記載のコイン払出制御装置を備えるコインホッパである。
【００２７】
本発明態様でも、第１の発明態様およびその具体的態様と同様に、コイン払出制御装置の各構成部分を種々の態様で具現化することができる。
【発明の効果】
【００２８】
（第１の発明態様および第２の発明態様の効果）
請求項１または請求項７に記載の発明態様では、判断部は、貯留ボウルに貯留されるコインの数量が所定数量まで減少したか否かを判断する。判断部が、貯留ボウルに貯留されるコインの数量が所定数量まで減少したことを判断しないときに、指令部は、所定の回転速度での回転を指令する第１指令を生成する。判断部が、貯留ボウルに貯留されるコインの数量が所定数量まで減少したことを判断したときに、指令部は、所定の回転速度より低い回転速度での回転、または、所定時間の回転の停止を指令する第２指令を生成する。回転制御部は、指令部が生成する第１指令、または第２指令に従って、払出モータの回転を制御する。この結果、貯留ボウルに貯留されるコインの数量が少なくなった場合でも、コインを払出す時間が長くなることを低減することができる。
【００２９】
（具体的態様の効果）
請求項２に記載の具体的態様では、パラメータ発生部は、貯留ボウルに貯留されるコインの数量に応じて変化するパラメータを発生する。判断部は、パラメータ発生部により発生されるパラメータの数値がコインの所定数量に相当する数値まで減少したか否かを判断する。この結果、パラメータ発生部が発生するパラメータに基いて、判断部は、貯留ボウルに貯留されるコインの数量が所定数量まで減少したか否かを正確に判断することができ、貯留ボウルに貯留されるコインの数量が少なくなった場合でも、コインを払出す時間が長くなることを低減することができる。
【００３０】
請求項３に記載の具体的態様では、パラメータ発生部は、コイン払出指令を受け取った時点から、コイン検出部が最初に払い出されるコインを検出しない状態で経過した第１経過時間を示すパラメータを発生する。判断部は、パラメータ発生部により発生されるパラメータの第１経過時間がコインの所定数量に相当する所定の経過時間まで長くなったか否かを判断する。判断部が、パラメータの第１経過時間が所定の経過時間まで長くなったことを判断したときに、指令部は第２指令を生成する。この結果、１枚目のコインの払い出しにおいて、コイン払出指令を受け取った時点から経過した第１経過時間に基いて、判断部は、貯留ボウルに貯留されるコインの数量が所定数量まで減少したか否かを正確に判断することができ、貯留ボウルに貯留されるコインの数量が少なくなった場合でも、コインを払出す時間が長くなることを低減することができる。
【００３１】
請求項４に記載の具体的態様では、パラメータ発生部は、コイン検出部がコインを検出した時点から経過した第２経過時間を示すパラメータを発生する。判断部は、パラメータ発生部により発生されるパラメータの第２経過時間がコインの所定数量に相当する所定の経過時間まで長くなったか否かを判断する。判断部が、パラメータの第２経過時間が所定の経過時間まで長くなったことを判断したときに、指令部は第２指令を生成する。この結果、２枚目以降のコインの払い出しにおいて、コイン検出部がコインを検出した時点から経過した第２経過時間に基いて、判断部は、貯留ボウルに貯留されるコインの数量が所定数量まで減少したか否かを正確に判断することができ、貯留ボウルに貯留されるコインの数量が少なくなった場合でも、コインを払出す時間が長くなることを低減することができる。
【００３２】
請求項５に記載の具体的態様では、回転制御部は、指令部が第１指令を生成した後に第２指令を生成する場合に、その第２指令に従って、所定時間の間、払出モータの回転を停止する。その後に、回転制御部は、所定の回転速度、または、所定の回転速度より低い回転速度で、払出モータを回転させる。この結果、所定時間の間、払出モータの回転を停止することにより、コインが貯留ボウルの内部で飛び跳ねることを抑制することができ、貯留ボウルに貯留されるコインの数量が少なくなった場合でも、コインを払出す時間が長くなることを低減することができる。
【００３３】
請求項６に記載の具体的態様では、回転制御部は、指令部が第２指令を生成する場合に、その第２指令に従って、所定時間の間、所定の回転速度より低い回転速度で、払出モータを回転させ、その後に、所定の回転速度で、払出モータを回転させる。この結果、所定時間の間、所定の回転速度より低い回転速度で、払出モータを回転させることにより、コインが貯留ボウルの内部で飛び跳ねることを低減することができ、貯留ボウルに貯留されるコインの数量が少なくなった場合でも、コインを払出す時間が長くなることを低減することができる。
【００３４】
請求項７に記載の具体的態様では、パラメータ発生部は、負荷測定部が測定した負荷の大きさを示すパラメータを発生する。判断部は、パラメータ発生部により発生されるパラメータの負荷の大きさがコインの所定数量に相当する所定の負荷の大きさまで小さくなったか否かを判断する。判断部が、パラメータの負荷の大きさが所定の負荷の大きさまで小さくなったことを判断したときに、指令部は第２指令を生成する。この結果、パラメータ発生部が発生するパラメータの負荷の大きさに基いて、判断部は、貯留ボウルに貯留されるコインの数量が所定数量まで減少したか否かを正確に判断することができ、貯留ボウルに貯留されるコインの数量が少なくなった場合でも、コインを払出す時間が長くなることを低減することができる。
【図面の簡単な説明】
【００３５】
【図１】本発明の第１実施形態に係るコインホッパ１００を備えるスロットマシン１の正面図である。
【図２】コインホッパ１００の拡大斜視図である。
【図３】コインホッパ１００のホッパベース１０２を示す正面図である。
【図４】スロットマシン１の電気的構成を示すブロック図である。
【図５】払出制御部２１４の電気的構成を示すブロック図である。
【図６】スロットマシン１におけるゲーム制御処理を示すフローチャートである。
【図７】第１実施形態に係るコインホッパ１００の払出制御処理ＳＡ３を示すフローチャートである。
【図８】本発明の第２実施形態に係るコインホッパ１００の払出制御処理ＳＡ３を示すフローチャートである。
【図９】本発明の第３実施形態に係るコインホッパ１００の払出制御処理ＳＡ３を示すフローチャートである。
【発明を実施するための形態】
【００３６】
＜第１実施形態＞
以下に、本発明の第１実施形態に係るコインホッパを備えるスロットマシンについて、図面を参照して説明する。図１は、スロットマシン１の全体構成を示す正面図であり、図２は、コインホッパの全体構成を示す斜視図である。図２に矢印で示す３つの方向を、上下方向、左右方向、および前後方向として、図３でも同様に、各方向を示す。
【００３７】
［スロットマシン１の構成］
図１において、スロットマシン１は、本実施形態に係るコインホッパ１００を内蔵する。スロットマシン１は、表示パネル１０と、操作パネル１２と、を備える。表示窓１４が、表示パネル１０に配置される。左表示リール１６Ａ、中表示リール１６Ｂ、および右表示リール１６Ｃが、スロットマシン１の内部に回転可能に配置される。３つの表示リール１６Ａ、１６Ｂ、１６Ｃの各々には、多種類の図柄が描かれ、各表示リールの図柄が表示窓１４に表示される。表示窓１４において、各表示リールに描かれた複数種類の図柄の列が表示列であり、本実施形態では、３つの表示列が左右方向に配列される。多種類の図柄は、各表示リールの回転により可変表示される。
【００３８】
コイン投入口１８が、表示パネル１０の右下方に配置される。遊技者は、コイン投入口１８から、ゲームに賭けるコインを投入する。左表示ストップボタン２０Ａ、中表示ストップボタン２０Ｂ、および右表示ストップボタン２０Ｃが、操作パネル１２に配置される。ストップボタン２０Ａ、２０Ｂ、２０Ｃは、表示リール１６Ａ、１６Ｂ、１６Ｃにそれぞれ対応して設けられ、対応する表示リールの回転を停止させるために押圧操作可能である。
【００３９】
ＢＥＴスイッチ２２は、１回のゲームで賭けるコイン数を指定するために、操作パネル１２の左方に配置される。ＢＥＴスイッチ２２は、クレジットとして貯留されたコインをゲームに賭けるためのスイッチである。ＢＥＴスイッチ２２により指定されたコイン数は、図示しない表示部に表示される。
【００４０】
コイン払出口２４が、スロットマシン１の下方に配置される。コイン払出口２４は、ゲームの入賞内容に応じて、コインホッパ１００から所定枚数のメダルが払い出される部分である。
【００４１】
スタートレバー２６が、ＢＥＴスイッチ２２に近接して、操作パネル１２の左方に配置される。スタートレバー２６は、メダルが賭けられた後に操作される。スタートレバー２６を操作すると、３つの表示リール１６Ａ、１６Ｂ、１６Ｃの回転が開始される。ストップボタン２０Ａ、２０Ｂ、２０Ｃが順次押されると、対応する表示リールの回転が順次停止される。全ての表示リールの回転が停止したときに、遊技価値が付与される「役」、または「ハズレ」が決まる。３つの表示リールの図柄の組み合わせに応じて「役」が決定される。遊技価値が付与される「役」としては、１枚から１５枚までの範囲でコインの払い出しが付与される複数種類の「役」と、コインの払い出しに関係なく、ビッグボーナス、またはレギュラーボーナスなどの有利な遊技状態が付与される「役」と、コインの払い出しはないがコインを投入することなく、再度、同数のコイン投入条件で遊技を続行することができる再遊技が付与される「役」とが存在する。
【００４２】
［コインホッパ１００の詳細な構成］
本発明の第１実施形態に係るコインホッパ１００について、図面を参照して説明する。図２は、コインホッパ１００の外観を示す斜視図である。
【００４３】
図２において、コインホッパ１００は、ホッパベース１０２と、貯留フレーム１０４とを備える。ホッパベース１０２は、スロットマシン１のフレームに取り付けられる。貯留フレーム１０４は、一対のクランプ１０６、１０８により、ホッパベース１０２上に着脱可能に装着される。クランプ１０６、１０８は、ホッパベース１０２に固定されたクランプ本体の止め金具を有する。貯留フレーム１０４に設けられた突部に止め金具を引っ掛けることにより、貯留フレーム１０４をホッパベース１０２に固定することができる。貯留フレーム１０４は、コインをバラ積み状態で貯留する貯留ボウル１１０を備える。貯留フレーム１０４は、貯留ボウル１１０の底面に円形の開口１１２を備える。貯留ボウル１１０内のコインは、開口１１２を通してホッパベース１０２の上面に供給される。投出口１１４が、コインホッパ１００の左側に設けられる。コインは、投出口１１４から払い出される。通常、遊技場の作業者が、任意の補充タイミングで、コインホッパ１００の貯留ボウル１１０にコインを補充することから、貯留ボウル１１０毎に貯留されるコインの数量が大きく異なる。長時間利用されるスロットマシン１では、貯留ボウル１１０に貯留されるコインの数量が極端に少なくなる場合がある。
【００４４】
図２において、ホッパベース１０２は、前方に向かって低くなる上面傾斜部１１６を備える。一方、貯留フレーム１０４は、ホッパベース１０２の上面傾斜部１１６と密着する下面傾斜部１１８を備える。止め金具が引っ掛けられる突部は、下面傾斜部１１８の前端部に形成される。
【００４５】
図２において、垂下部１２０が、下面傾斜部１１８の左側端部から下方に突出して形成される。垂下部１２０は、前後に延びており、その前後における長さは、コインの直径より僅かに長い。切欠部１２２が、上面傾斜部１１６の左側端部に形成される。切欠部１２２は、前後に延びており、その前後における長さは、コインの直径より僅かに長い。貯留フレーム１０４がホッパベース１０２に装着されたときに、垂下部１２０は、コインの厚さに相当する間隙を開けて切欠部１２２に嵌合する。図２に示すように、投出口１１４が、垂下部１２０および切欠部１２２の嵌合により形成される。
【００４６】
（ホッパベース１０２の詳細な構成）
ホッパベース１０２の構成について、図３を参照して説明する。図３は、ホッパベース１０２の上面傾斜部１１６を前方から見た正面図である。図３において、ホッパベース１０２は、回転軸１２４を回転可能に支持する。回転ディスク１２６は、回転軸１２４に着脱可能に構成される。円形収容部１２８が、上面傾斜部１１６の上面に形成され、回転ディスク１２６を回転可能に収容する。回転ディスク１２６は、円周方向に複数の円形の受入部１２６Ａを有する。貯留ボウル１１０から供給されるコイン１３０は、複数の受入部１２６Ａにそれぞれ受け入れられる。回転ディスク１２６は、各受入部１２６Ａに近接した位置に第１および第２押出部１２６Ｂ、１２６Ｃを有する。円形収容部１２８は円形の内周壁を有し、図３において、切欠開口１２８Ａが、その内周壁の左後方部分を切り欠いて形成される。第１および第２押出部１２６Ｂ、１２６Ｃは、回転ディスク１２６の回転に伴い、各受入部１２６Ａに受け入れられたコイン１３０を押しながら、円形収容部１２８の切欠開口１２８Ａまで移送する。そして、第１押出部１２６Ｂは、回転ディスク１２６の回転に伴い、コイン１３０を切欠開口１２８Ａから外方に押し出す。
【００４７】
コイン通路１３２が、上面傾斜部１１６の左後方部分に形成される凹溝から構成される。コイン通路１３２は、切欠開口１２８Ａから切欠部１２２まで延びる。コイン１３０は、コイン通路１３２に沿って払出方向ＤＳに移動する。コイン通路１３２は、コイン１３０の円形面が接触して移動する通路面１３２Ａと、コイン１３０の外周部を案内する一対の側面１３２Ｂ、１３２Ｃとを有する。通路面１３２Ａは、コイン通路１３２の底面を構成する。下面傾斜部１１８の下面が、コイン通路１３２の上面部分を構成する。
【００４８】
図３において、固定ピン１３４が、コイン通路１３２の側面１３２Ｃに近接して上面傾斜部１１６に固定される。可動ローラ１３６が、コイン通路１３２の側面１３２Ｂの近くに配置される。可動ローラ１３６は、固定ピン１３４に対して接離可能に上面傾斜部１１６に取り付けられる。具体的には、可動ローラ１３６は、上面傾斜部１１６に揺動可能に支持されたレバーに取り付けられる。可動ローラ１３６が固定ピン１３４に接近するように、そのレバーがコイルバネなどの弾性体により常時付勢される。固定ピン１３４および可動ローラ１３６は、払出方向ＤＳにおいて切欠開口１２８Ａより下流側であって、切欠開口１２８Ａの近くに配置される。固定ピン１３４および可動ローラ１３６は、切欠開口１２８Ａから押し出されるコイン１３０の外周部に接触してコイン１３０を払出方向ＤＳに案内する。このとき、可動ローラ１３６は、コイン１３０に押され、弾性付勢力に抗して固定ピン１３４から離間する。この可動ローラ１３６が、固定ピン１３４に対する接近および離間の動作に連動して、払い出されるコイン１３０の枚数が計数される。このコインの枚数を計数する構成は、特開２００６−３２３５３０号公報などに記載され、周知である。
【００４９】
［スロットマシン１の電気的構成］
スロットマシン１の電気的構成について、図面を参照して説明する。図４は、スロットマシン１の電気的構成を示すブロック図である。
【００５０】
図４において、スロットマシン１の遊技動作全般を制御するために、主制御用ＣＰＵ２００、ＲＯＭ２０２、およびＲＡＭ２０４からなる主制御用コンピュータが設けられる。ＲＯＭ２０２は、スロットマシン１の遊技動作全般を制御するメインプログラム、図６に示すゲーム制御処理を実行するための制御プログラムなどの各種の制御プログラムと、各種のテーブルとを固定的に記憶する。ＲＡＭ２０４は、主制御用ＣＰＵ２００の処理結果を一時的に記憶する。たとえば、ＲＯＭ２０２が記憶するテーブルとしては、賞群抽選テーブル、停止テーブル群、および入賞図柄組合せテーブルなどのテーブルが記憶される。入賞図柄組合せテーブルには、入賞役の図柄の組合せと、入賞役のメダル払出枚数とが対応付けて記憶される。
【００５１】
乱数発生器２０６が、主制御用ＣＰＵ２００に接続される。乱数発生器２０６は、基準クロックをカウントするリングカウンタを含み、リングカウンタの計数値を乱数として発生して主制御用ＣＰＵ２００に供給する。主制御用Ｉ／Ｏポート２０８が、主制御用ＣＰＵ２００に接続される。センサ制御回路２１０、表示制御回路２１２、払出制御部２１４、およびリール制御部２１６が、主制御用Ｉ／Ｏポート２０８にそれぞれ接続される。
【００５２】
センサ制御回路２１０は、センサ群２２０の各センサからの検出信号を受け取り、主制御用Ｉ／Ｏポート２０８を介して、検出結果を表す検出情報を主制御用ＣＰＵ２００に供給する。センサ群２２０は、スタートレバーセンサＳＧ１、コイン投入センサＳＧ２、ＢＥＴセンサＳＧ３、左表示ストップセンサＳＧ４、中表示ストップセンサＳＧ５、右表示ストップセンサＳＧ６、および、コイン払出センサＳＧ７を含む。スタートレバーセンサＳＧ１は、スタートレバー２６の傾動操作を検出してレバー操作検出信号を発生する。コイン投入センサＳＧ２は、コイン投入口１８に少なくとも１つのコインが投入されたときにコイン投入検出信号を発生する。ＢＥＴセンサＳＧ３は、ＢＥＴスイッチ２２の押圧操作を検出してＢＥＴ操作検出信号を発生する。たとえば、ＢＥＴセンサＳＧ３は、ＢＥＴスイッチ２２の押圧操作回数を表すＢＥＴ操作検出信号を発生する。左表示ストップセンサＳＧ４は、左表示ストップボタン２０Ａが押圧操作される毎に左表示ストップ操作検出信号を発生する。中表示ストップセンサＳＧ５は、中表示ストップボタン２０Ｂが押圧操作される毎に中表示ストップ操作検出信号を発生する。右表示ストップセンサＳＧ６は、右表示ストップボタン２０Ｃが押圧操作される毎に右表示ストップ操作検出信号を発生する。
【００５３】
コイン払出センサＳＧ７は、コイン１３０が投出口１１４から払い出されるときにコイン払出検出信号を発生する。コイン払出センサＳＧ７としては、可動ローラ１３６が取り付けられたレバーの動きを光学的に検出するセンサが、採用される。そのレバーは、上面傾斜部１１６に揺動可能に支持される。コイン払出センサＳＧ７の具体的構成は、特許第３１１１５５公報、および特開２００６−３２３５３０号公報などに記載され、周知である。
【００５４】
表示制御回路２１２は、主制御用ＣＰＵ２００から、主制御用Ｉ／Ｏポート２０８を介して各種の表示指令を受け取り、表示ランプ群２２２、および表示パネル群２２４の表示動作を制御する。表示ランプ群２２２は、ゲームの開始が可能になったときに点灯するスタートランプ、および、コインの投入が可能になったときに点灯する投入指示ランプなどを含む。表示パネル群２２４は、払い出されるコインの枚数を表示するパネル、および、投入されるコインの枚数を表示するパネルなどを含む。
【００５５】
払出制御部２１４は、主制御用ＣＰＵ２００から、主制御用Ｉ／Ｏポート２０８を介して、払出指令と、払出検出信号とを受け取る。払出指令と、払出検出信号とに従って、払出制御部２１４は、払出モータＭＤの回転を制御する。払出モータＭＤは、回転ディスク１２６が取り付けられる回転軸１２４を回転駆動する。本実施形態では、払出モータＭＤは直流モータから構成される。
【００５６】
リール制御部２１６は、主制御用ＣＰＵ２００から、主制御用Ｉ／Ｏポート２０８を介して、リール制御指令を受け取る。また、リール制御部２１６は、リール位置センサ群２２６の各センサからリール位置検出信号を受け取る。リール制御指令と、リール位置検出信号とに従って、リール制御部２１６は、リールモータ群２２８の各リールモータの回転を制御する。リール位置センサ群２２６は、３つの表示リール１６Ａ〜１６Ｃの回転位置を検出する３つのセンサを含む。リールモータ群２２８は、３つの表示リール１６Ａ〜１６をそれぞれ回転駆動する左表示リールモータ、中表示リールモータ、および右表示リールモータを含む。
【００５７】
（払出制御部２１４の電気的構成）
払出制御部２１４の電気的構成について、図面を参照して説明する。図５は、払出制御部２１４の電気的構成を示すブロック図である。
【００５８】
図５において、スロットマシン１の払出動作を制御するために、払出制御用ＣＰＵ３００、ＲＯＭ３０２、およびＲＡＭ３０４からなる払出制御用コンピュータが設けられる。払出制御用ＣＰＵ３００は、２つのタイマＴＭ１、ＴＭ２を内蔵する。ＲＯＭ３０２は、図７に示す払出制御処理ＳＡ３を実行するための払出制御プログラム、および、各種の設定値を固定的に記憶する。ＲＡＭ３０４は、払出制御用ＣＰＵ３００の処理結果を一時的に記憶する。たとえば、ＲＯＭ３０２が記憶する各種の設定値としては、払出モータＭＤの回転速度Ｖ１、払出基準時間Ｔ１、およびモータ停止時間Ｔ２などの設定値である。
【００５９】
払出制御用Ｉ／Ｏポート３０６が、払出制御用ＣＰＵ３００に接続されるとともに、主制御用Ｉ／Ｏポート２０８を介して主制御用ＣＰＵ２００に接続される。払出制御用Ｉ／Ｏポート３０６は、主制御用ＣＰＵ２００から、主制御用Ｉ／Ｏポート２０８を介して払出指令と、払出検出信号とを受け取り、払出制御用ＣＰＵ３００に供給する。
【００６０】
モータ制御回路３０８が、払出制御用Ｉ／Ｏポート３０６に接続される。モータ制御回路３０８は、払出制御用ＣＰＵ３００から、払出制御用Ｉ／Ｏポート３０６を介して、モータ制御指令を受け取る。モータ制御指令に従って、モータ制御回路３０８は、払出モータＭＤの回転を制御する。本実施形態では、モータ制御指令は、払出モータＭＤの回転または停止を指示する制御指令と、回転速度を指示する速度指令とを含む。モータ制御回路３０８は、払出モータＭＤの回転を指示する制御指令を受け取ったときに、速度指令により指示される回転速度に相当する直流電圧を払出モータＭＤに供給する。
【００６１】
［第１実施形態の動作および作用］
第１実施形態に係るコインホッパ１００を備えたスロットマシン１の動作および作用について図面を参照して説明する。図６は、スロットマシン１が１ゲームの遊技動作を制御するためのゲーム制御処理を示すフローチャートである。図６に示すゲーム制御処理の各ステップの処理は、主制御用ＣＰＵ２００が実行する処理である。図６に示すゲーム制御処理は、１回のゲーム毎に繰り返される。主制御用ＣＰＵ２００は、予め定められた周期で、図６に示すゲーム制御処理を実行するための制御プログラムをＲＯＭ２０２から読み出し、その制御プログラムの実行を開始する。
【００６２】
ゲーム実行処理が実行される（ＳＡ１）。具体的には、主制御用ＣＰＵ２００が、スタートレバーセンサＳＧ１からレバー操作検出信号を受け取ったときに、乱数発生器２０６が発生している乱数を取得してＲＡＭ２０４に一時記憶する。主制御用ＣＰＵ２００が、リールモータ群２２８の各リールモータを回転させるためのリール制御指令をリール制御部２１６に供給する。このリール制御指令により、３つの表示リール１６Ａ〜１６Ｃが回転される。主制御用ＣＰＵ２００が、ストップセンサＳＧ４〜ＳＧ６の各センサからストップ操作検出信号を受け取ったときに、対応する各リールモータの回転を停止させるためのリール制御指令をリール制御部２１６に供給する。このリール制御指令により、３つの表示リール１６Ａ〜１６Ｃの回転が順次停止される。
【００６３】
ゲーム実行処理の実行後に、入賞判定処理が実行される（ＳＡ２）。具体的には、主制御用ＣＰＵ２００が、ＲＡＭ２０４に一時記憶した乱数と、停止した表示リール１６Ａ〜１６Ｃの図柄とに基いて、入賞状態になったか否かを判定する。入賞状態となっている場合には、主制御用ＣＰＵ２００が、払い出すコインの払出コイン枚数ＣＮを決定する。
【００６４】
入賞判定処理の実行後に、主制御用ＣＰＵ２００が、払出制御処理の実行を払出制御部２１４に指令する（ＳＡ３）。具体的には、主制御用ＣＰＵ２００が、払出コイン枚数ＣＮを含む払出指令を払出制御部２１４に供給するとともに、コイン払出センサＳＧ７からコイン払出検出信号を受け取ったときに、そのコイン払出検出信号を払出制御部２１４に供給する。払出制御部２１４が払出制御処理の実行を終了すると、図６に示すゲーム制御処理の実行が終了する。ゲーム制御処理の実行が終了してから、所定の時間が経過すると、次のゲームのためのゲーム制御処理が開始される。
【００６５】
ゲーム実行処理（ＳＡ１）、および入賞判定処理（ＳＡ２）の詳細な動作は、特開２００２−７９３号公報などに記載され、公知である。
【００６６】
（払出制御処理ＳＡ３）
第１実施形態における払出制御処理ＳＡ３の詳細について、図７を参照して説明する。図７は、第１実施形態における払出制御処理ＳＡ３の詳細な処理を示すフローチャートである。図７に示す払出制御処理ＳＡ３の各ステップは、第１実施形態における払出制御用ＣＰＵ３００が実行する処理である。払出制御用ＣＰＵ３００は、主制御用ＣＰＵ２００から払出指令を受け取ると、払出制御プログラムをＲＯＭ３０２から読み出し、その払出制御プログラムの実行を開始する。
【００６７】
払出コイン枚数ＣＮが、ＲＡＭ３０４に一時記憶される（ＳＢ１）。具体的には、払出制御用ＣＰＵ３００は、主制御用ＣＰＵ２００から受け取った払出指令の払出コイン枚数ＣＮをＲＡＭ３０４に一時記憶する。
【００６８】
回転速度Ｖ１が、モータ制御回路３０８に指令される（ＳＢ２）。モータ制御回路３０８は、回転速度Ｖ１に相当する一定の駆動電圧を払出モータＭＤに供給する。本実施形態では、モータ制御回路３０８は、払出モータＭＤの回転速度を制御しておらず、一定の駆動電圧を供給するのみである。このため、払出モータＭＤの回転速度は、回転ディスク１２６に積載されるコイン１３０の数量に応じて変化する。
【００６９】
タイマＴＭ１が起動される（ＳＢ３）。具体的には、払出指令を受け取った直後においては、払出制御用ＣＰＵ３００は、その内蔵するタイマＴＭ１を起動して、払出指令を受け取った時点からの経過時間を計時させる。
【００７０】
タイマＴＭ１が計時した経過時間ＴＸ１が、払出基準時間Ｔ１以上であるか否かが判断される（ＳＢ４）。経過時間ＴＸ１が払出基準時間Ｔ１に達しないとき（ＳＢ４：ＮＯ）、処理はステップＳＢ５に進む。経過時間ＴＸ１が払出基準時間Ｔ１以上であるとき（ＳＢ４：ＹＥＳ）、処理はステップＳＢ１０に進む。本実施形態では、払出基準時間Ｔ１は、０．５秒に設定される。
【００７１】
経過時間ＴＸ１が払出基準時間Ｔ１に達しないとき、コイン払出検出信号を受け取ったか否かが判断される（ＳＢ５）。コイン払出検出信号を受け取ったと判断されないとき（ＳＢ５：ＮＯ）、処理はステップＳＢ４に戻される。コイン払出検出信号を受け取ったと判断されたとき（ＳＢ５：ＹＥＳ）、処理はステップＳＢ６に進む。
【００７２】
コイン払出検出信号を受け取ったと判断されたとき、払出コイン枚数ＣＮが１つ減算されてＲＡＭ３０４に一時記憶される（ＳＢ６）。払出コイン枚数ＣＮが１つ減算された時点では、払出指令を受け取ってから経過時間ＴＸ１が払出基準時間Ｔ１に達する前に、１枚目のコイン１３０が払い出されたことになる。
【００７３】
タイマＴＭ１の計時動作が停止され、タイマＴＭ１の経過時間ＴＸ１が「０」にリセットされる（ＳＢ７）。
【００７４】
払出コイン枚数ＣＮが「０」であるか否かが判断される（ＳＢ８）。払出コイン枚数ＣＮが「０」でないと判断されたとき（ＳＢ８：ＮＯ）、処理はステップＳＢ３に戻される。払出コイン枚数ＣＮが「０」であると判断されたとき（ＳＢ８：ＹＥＳ）、処理はステップＳＢ９に進む。
【００７５】
払出コイン枚数ＣＮが「０」であると判断されたとき、払出モータＭＤの停止が、モータ制御回路３０８に指令される（ＳＢ９）。モータ制御回路３０８は、停止指令に従って、駆動電圧を払出モータＭＤに供給することを停止する。駆動電圧の供給を停止することにより、回転ディスク１２６の回転が停止され、コイン１３０の払出動作が停止される。ステップＳＢ９の実行後に、払出制御処理ＳＡ３の実行が終了する。この結果、コイン１３０が、払出コイン枚数ＣＮだけ投出口１１４から払い出されたことになる。
【００７６】
一方、ステップＳＢ４において、経過時間ＴＸ１が払出基準時間Ｔ１以上であると判断されたとき（ＳＢ４：ＹＥＳ）、処理はステップＳＢ１０に進む。すなわち、経過時間ＴＸ１が払出基準時間Ｔ１以上である場合は、払出指令を受け取ってから払出基準時間Ｔ１が経過しても、１枚目のコイン１３０の払い出しが行われない場合であるので、貯留ボウル１１０に貯留されているコイン１３０の数量が少なくなって、コイン１３０が回転ディスク１２６の受入部１２６Ａの縁部に当たって飛び跳ねる現象が発生しているおそれがある。
【００７７】
払出モータＭＤの停止がモータ制御回路３０８に指令される（ＳＢ１０）。モータ制御回路３０８は、停止指令に従って、駆動電圧を払出モータＭＤに供給することを停止する。駆動電圧の供給を停止することにより、回転ディスク１２６の回転が停止される。
【００７８】
タイマＴＭ１の計時動作が停止され、タイマＴＭ１の経過時間ＴＸ１が「０」にリセットされる（ＳＢ１１）。
【００７９】
タイマＴＭ２が起動される（ＳＢ１２）。具体的には、払出制御用ＣＰＵ３００は、その内蔵するタイマＴＭ２を起動して、払出モータＭＤの停止指令を発生した時点からの経過時間を計時させる。
【００８０】
タイマＴＭ２が計時した経過時間ＴＸ２が、モータ停止時間Ｔ２以上であるか否かが判断される（ＳＢ１３）。経過時間ＴＸ２がモータ停止時間Ｔ２に達しないとき（ＳＢ１３：ＮＯ）、ステップＳＢ１３の判断が繰り返される。経過時間ＴＸ２がモータ停止時間Ｔ２以上であるとき（ＳＢ１３：ＹＥＳ）、処理はステップＳＢ１４に進む。この結果、払出モータＭＤは、モータ停止時間Ｔ２の間、停止されたことから、コイン１３０が飛び跳ねる現象が収まったと考えられる。本実施形態では、モータ停止時間Ｔ２は、０．５秒に設定される。
【００８１】
回転速度Ｖ１が、モータ制御回路３０８に指令される（ＳＢ１４）。モータ制御回路３０８は、回転速度Ｖ１に相当する一定の駆動電圧を払出モータＭＤに供給する。一定の駆動電圧の供給により、払出モータＭＤの回転が再開され、コイン１３０が飛び跳ねる現象が収まった状態において回転ディスク１２６が回転される。
【００８２】
タイマＴＭ２の計時動作が停止され、タイマＴＭ２の経過時間ＴＸ２が「０」にリセットされる（ＳＢ１５）。
【００８３】
ステップＳＢ１５の実行後に、処理はステップＳＢ３に戻される。ステップＳＢ３において、タイマＴＭ１が起動される（ＳＢ３）。具体的には、払出制御用ＣＰＵ３００は、タイマＴＭ１を起動して、ステップＳＢ１４における回転速度Ｖ１の指令により払出モータＭＤが回転を再開した時点からの経過時間を計時させる。
【００８４】
ステップＳＢ３の実行後に、ステップＳＢ４、およびステップＳＢ５の実行が繰り返される。１枚目のコイン１３０が払い出されたときに、ステップＳＢ５において、払出制御用ＣＰＵ３００は、コイン払出検出信号を受け取ったと判断し、ステップＳＢ６以降の処理を実行する。
【００８５】
ステップＳＢ８において払出コイン枚数ＣＮが「０」でないと判断されて、処理がステップＳＢ３に戻されると、タイマＴＭ１が起動される（ＳＢ３）。タイマＴＭ１の起動により、タイマＴＭ１は、１枚目のコイン１３０が払い出された時点からの経過時間を計時する。以降、タイマＴＭ１は、先のコインが払い出された時点からの経過時間を計時する。
【００８６】
２枚目以降のコイン１３０の払い出しについて、タイマＴＭ１が計時した経過時間ＴＸ１が、払出基準時間Ｔ１以上であるか否かが判断される（ＳＢ４）。経過時間ＴＸ１が払出基準時間Ｔ１に達しないとき（ＳＢ４：ＮＯ）、処理はステップＳＢ５に進み、ステップＳＢ５〜ＳＢ９の処理が実行される。経過時間ＴＸ１が払出基準時間Ｔ１以上であるとき（ＳＢ４：ＹＥＳ）、処理はステップＳＢ１０に進み、ステップＳＢ１０〜ＳＢ１５の処理が実行される。
【００８７】
［第１実施形態の効果］
第１実施形態では、タイマＴＭ１は、１枚目のコイン１３０の払い出しにおいて、払出指令を受け取った時点からの経過時間を経過時間ＴＸ１として計時し、２枚目以降のコイン１３０の払い出しにおいて、先のコイン１３０が払い出された時点からの経過時間を経過時間ＴＸ１として計時する。ステップＳＢ４において、経過時間ＴＸ１が払出基準時間Ｔ１以上であると判断されたときに、ステップＳＢ１０において、払出モータＭＤの停止が指令される。この払出モータＭＤの停止は、モータ停止時間Ｔ２だけ継続される。この結果、経過時間ＴＸ１が払出基準時間Ｔ１以上であると判断されたことにより、貯留ボウル１１０に貯留されたコイン１３０の数量が少ないと考えられる場合には、モータ停止時間Ｔ２だけ払出モータＭＤを停止させることにより、コイン１３０が飛び跳ねる現象を収めることができる。この払出モータＭＤの停止により、払出コイン枚数ＣＮだけコイン１３０を払い出す時間が飛び跳ねる現象により長くなることを低減することができる。
【００８８】
第１実施形態では、払出制御用ＣＰＵ３００は、貯留ボウル１１０に貯留されたコイン１３０の数量が、コイン１３０の飛び跳ねる現象が発生する数量まで少なくなったか否かを、タイマＴＭ１の経過時間ＴＸ１が払出基準時間Ｔ１以上であるか否かにより、判断する。この結果、貯留ボウル１１０に貯留されたコイン１３０の数量を計量する特別な手段を必要とすることなく、払出コイン枚数を計数するためにコインホッパ１００に本来備えられるコイン払出センサＳＧ７を利用することから、貯留ボウル１１０に貯留されたコイン１３０の数量の変化を判断する構成を簡易にすることができる。
【００８９】
第１実施形態では、コイン１３０が飛び跳ねる現象を収めるために、モータ停止時間Ｔ２だけ払出モータＭＤが停止される。この結果、払出モータＭＤの回転を停止させるという簡易なモータ制御により、コイン１３０が飛び跳ねる現象を収めることができる。
【００９０】
＜第２実施形態＞
以下に、本発明の第２実施形態に係るコインホッパについて、図面を参照して説明する。第２実施形態は、払出モータＭＤの回転を制御する払出制御処理において、第１実施形態と相違することから、相違する払出制御処理のみについて説明する。第２実施形態において、第１実施形態と同じ構成部分には同じ記号または番号を付して説明する。
【００９１】
第２実施形態における払出制御部２１４は、ＲＯＭ３０２の記憶内容を除いて、図５に示す第１実施形態における払出制御部２１４とほぼ同じ構成である。第２実施形態におけるＲＯＭ３０２は、図８に示す払出制御処理ＳＡ３を実行するための払出制御プログラム、および、各種の設定値を固定的に記憶する。たとえば、ＲＯＭ３０２が記憶する各種の設定値としては、払出モータＭＤの高い回転速度Ｖ１、払出モータＭＤの低い回転速度Ｖ２、払出基準時間Ｔ１、およびモータ低速時間ＴＬなどの設定値である。本実施形態では、払出モータＭＤの低い回転速度Ｖ２は、払出モータＭＤの高い回転速度Ｖ１の１／２の回転速度に設定される。
【００９２】
（払出制御処理ＳＡ３）
第２実施形態における払出制御処理ＳＡ３の詳細について、図８を参照して説明する。図８は、第２実施形態における払出制御処理ＳＡ３の詳細な処理を示すフローチャートである。図８に示す払出制御処理ＳＡ３の各ステップは、第２実施形態における払出制御用ＣＰＵ３００が実行する処理である。払出制御用ＣＰＵ３００は、主制御用ＣＰＵ２００から払出指令を受け取ると、払出制御プログラムをＲＯＭ３０２から読み出し、その払出制御プログラムの実行を開始する。
【００９３】
払出コイン枚数ＣＮが、ＲＡＭ３０４に一時記憶される（ＳＣ１）。具体的には、払出制御用ＣＰＵ３００は、主制御用ＣＰＵ２００から受け取った払出指令の払出コイン枚数ＣＮをＲＡＭ３０４に一時記憶する。
【００９４】
高い回転速度Ｖ１が、モータ制御回路３０８に指令される（ＳＣ２）。モータ制御回路３０８は、高い回転速度Ｖ１に相当する高い一定の駆動電圧を払出モータＭＤに供給する。本実施形態では、モータ制御回路３０８は、払出モータＭＤの回転速度を制御しておらず、高い一定の駆動電圧を供給するのみである。このため、払出モータＭＤの回転速度は、回転ディスク１２６に積載されるコイン１３０の数量に応じて変化する。
【００９５】
タイマＴＭ１が起動される（ＳＣ３）。具体的には、払出指令を受け取った直後においては、払出制御用ＣＰＵ３００は、その内蔵するタイマＴＭ１を起動して、払出指令を受け取った時点からの経過時間を計時させる。
【００９６】
タイマＴＭ１が計時した経過時間ＴＸ１が、払出基準時間Ｔ１以上であるか否かが判断される（ＳＣ４）。経過時間ＴＸ１が払出基準時間Ｔ１に達しないとき（ＳＣ４：ＮＯ）、処理はステップＳＣ５に進む。経過時間ＴＸ１が払出基準時間Ｔ１以上であるとき（ＳＣ４：ＹＥＳ）、処理はステップＳＣ１０に進む。本実施形態では、払出基準時間Ｔ１は、０．５秒に設定される。
【００９７】
経過時間ＴＸ１が払出基準時間Ｔ１に達しないとき、コイン払出検出信号を受け取ったか否かが判断される（ＳＣ５）。コイン払出検出信号を受け取ったと判断されないとき（ＳＣ５：ＮＯ）、処理はステップＳＣ４に戻される。コイン払出検出信号を受け取ったと判断されたとき（ＳＣ５：ＹＥＳ）、処理はステップＳＣ６に進む。
【００９８】
ステップＳＣ６〜ＳＣ９の処理は、第１実施形態におけるステップＳＢ６〜ＳＢ９の処理と同じであるので、その説明を省略する。
【００９９】
一方、ステップＳＣ４において、経過時間ＴＸ１が払出基準時間Ｔ１以上であると判断されたとき（ＳＣ４：ＹＥＳ）、処理はステップＳＣ１０に進む。すなわち、経過時間ＴＸ１が払出基準時間Ｔ１以上である場合は、払出指令を受け取ってから払出基準時間Ｔ１が経過しても、１枚目のコイン１３０の払い出しが行われない場合であるので、貯留ボウル１１０に貯留されているコイン１３０の数量が少なくなって、コイン１３０が回転ディスク１２６の受入部１２６Ａの縁部に当たって飛び跳ねる現象が発生しているおそれがある。
【０１００】
低い回転速度Ｖ２が、モータ制御回路３０８に指令される（ＳＣ１０）。モータ制御回路３０８は、低い回転速度Ｖ２に相当する低い一定の駆動電圧を払出モータＭＤに供給する。本実施形態では、モータ制御回路３０８は、払出モータＭＤの回転速度を制御しておらず、低い一定の駆動電圧を供給するのみである。このため、払出モータＭＤの回転速度は、回転ディスク１２６に積載されるコイン１３０の数量に応じて変化する。
【０１０１】
タイマＴＭ１の計時動作が停止され、タイマＴＭ１の経過時間ＴＸ１が「０」にリセットされる（ＳＣ１１）。
【０１０２】
タイマＴＭ２が起動される（ＳＣ１２）。具体的には、払出制御用ＣＰＵ３００は、その内蔵するタイマＴＭ２を起動して、ステップＳＣ１０における低い回転速度Ｖ２の指令により払出モータＭＤが回転された時点からの経過時間を計時させる。
【０１０３】
タイマＴＭ２が計時した経過時間ＴＸ２が、モータ低速時間ＴＬ以上であるか否かが判断される（ＳＣ１３）。経過時間ＴＸ２がモータ低速時間ＴＬに達しないとき（ＳＣ１３：ＮＯ）、処理はステップＳＣ１４に進む。経過時間ＴＸ２がモータ低速時間ＴＬ以上であるとき（ＳＣ１３：ＹＥＳ）、処理はステップＳＣ１６に進む。この結果、払出モータＭＤは、モータ低速時間ＴＬの間、低い回転速度Ｖ２で回転されたことから、コイン１３０が飛び跳ねる現象が低減されると考えられる。本実施形態では、モータ低速時間ＴＬは、１．０秒に設定される。
【０１０４】
経過時間ＴＸ２がモータ低速時間ＴＬに達しないとき、コイン払出検出信号を受け取ったか否かが判断される（ＳＣ１４）。コイン払出検出信号を受け取ったと判断されないとき（ＳＣ１４：ＮＯ）、処理はステップＳＣ１３に戻される。コイン払出検出信号を受け取ったと判断されたとき（ＳＣ１４：ＹＥＳ）、処理はステップＳＣ１５に進む。
【０１０５】
コイン払出検出信号を受け取ったと判断されたとき、払出コイン枚数ＣＮが１つ減算されてＲＡＭ３０４に一時記憶される（ＳＣ１５）。払出コイン枚数ＣＮが１つ減算された時点では、ステップＳＣ１０における低い回転速度Ｖ２の指令により払出モータＭＤが回転された時点から経過時間ＴＸ２が払出基準時間ＴＬに達する前に、１枚目のコイン１３０が払い出されたことになる。ステップＳＣ１５の実行後に、処理はステップＳＣ１３に戻される。
【０１０６】
経過時間ＴＸ２がモータ低速時間ＴＬ以上であるとき、高い回転速度Ｖ１が、モータ制御回路３０８に指令される（ＳＣ１６）。モータ制御回路３０８は、高い回転速度Ｖ１に相当する高い一定の駆動電圧を払出モータＭＤに供給する。高い一定の駆動電圧の供給により、払出モータＭＤは回転され、コイン１３０が飛び跳ねる現象が低減された状態において回転ディスク１２６が回転される。
【０１０７】
タイマＴＭ２の計時動作が停止され、タイマＴＭ２の経過時間ＴＸ２が「０」にリセットされる（ＳＣ１７）。
【０１０８】
ステップＳＣ１７の実行後に、処理はステップＳＣ３に戻される。ステップＳＣ３において、タイマＴＭ１が起動される（ＳＣ３）。具体的には、払出制御用ＣＰＵ３００は、タイマＴＭ１を起動して、ステップＳＣ１６における高い回転速度Ｖ１の指令により払出モータＭＤが回転された時点からの経過時間を計時させる。
【０１０９】
ステップＳＣ３の実行後に、ステップＳＣ４、およびステップＳＣ５の実行が繰り返される。１枚目のコイン１３０が払い出されたときに、ステップＳＣ５において、払出制御用ＣＰＵ３００は、コイン払出検出信号を受け取ったと判断し、ステップＳＣ６以降の処理を実行する。
【０１１０】
ステップＳＣ８において払出コイン枚数ＣＮが「０」でないと判断されて、処理がステップＳＣ３に戻されると、タイマＴＭ１が起動される（ＳＣ３）。タイマＴＭ１の起動により、タイマＴＭ１は、１枚目のコイン１３０が払い出された時点からの経過時間を計時する。以降、タイマＴＭ１は、先のコインが払い出された時点からの経過時間を計時する。
【０１１１】
２枚目以降のコイン１３０の払い出しについて、タイマＴＭ１が計時した経過時間ＴＸ１が、払出基準時間Ｔ１以上であるか否かが判断される（ＳＣ４）。経過時間ＴＸ１が払出基準時間Ｔ１に達しないとき（ＳＣ４：ＮＯ）、処理はステップＳＣ５に進み、ステップＳＣ５〜ＳＣ９の処理が実行される。経過時間ＴＸ１が払出基準時間Ｔ１以上であるとき（ＳＣ４：ＹＥＳ）、処理はステップＳＣ１０に進み、ステップＳＣ１０〜ＳＣ１７の処理が実行される。
【０１１２】
［第２実施形態の効果］
第２実施形態では、タイマＴＭ１は、１枚目のコイン１３０の払い出しにおいて、払出指令を受け取った時点からの経過時間を経過時間ＴＸ１として計時し、２枚目以降のコイン１３０の払い出しにおいて、先のコイン１３０が払い出された時点からの経過時間を経過時間ＴＸ１として計時する。ステップＳＣ４において、経過時間ＴＸ１が払出基準時間Ｔ１以上であると判断されたときに、ステップＳＣ１０において、払出モータＭＤの低い回転速度Ｖ２が指令される。この低い回転速度Ｖ２の指令に従う払出モータＭＤの回転は、モータ低速時間ＴＬだけ継続される。この結果、経過時間ＴＸ１が払出基準時間Ｔ１以上であると判断されたことにより、貯留ボウル１１０に貯留されたコイン１３０の数量が少ないと考えられる場合には、モータ低速時間ＴＬだけ払出モータＭＤを低い回転速度Ｖ２で回転させることにより、コイン１３０が飛び跳ねる現象が低減されると考えられる。低い回転速度Ｖ２での回転により、払出コイン枚数ＣＮだけコイン１３０を払い出す時間が飛び跳ねる現象により長くなることを低減することができる。
【０１１３】
第２実施形態では、第１実施形態と同様に、払出制御用ＣＰＵ３００は、貯留ボウル１１０に貯留されたコイン１３０の数量が、コイン１３０の飛び跳ねる現象が発生する数量まで少なくなったか否かを、タイマＴＭ１の経過時間ＴＸ１が払出基準時間Ｔ１以上であるか否かにより、判断する。この結果、貯留ボウル１１０に貯留されたコイン１３０の数量を計量する特別な手段を必要とすることなく、払出コイン枚数を計数するためにコインホッパ１００に本来備えられるコイン払出センサＳＧ７を利用することから、貯留ボウル１１０に貯留されたコイン１３０の数量の変化を判断する構成を簡易にすることができる。
【０１１４】
第２実施形態では、コイン１３０が飛び跳ねる現象を低減させるために、低い回転速度Ｖ２の指令に従って、払出モータＭＤは、モータ低速時間ＴＬだけ低い回転速度で回転される。この結果、低い回転速度に払出モータＭＤの回転速度を変更するという比較的簡易なモータ制御により、コイン１３０が飛び跳ねる現象を低減させることができる。
【０１１５】
＜第３実施形態＞
以下に、本発明の第３実施形態に係るコインホッパについて、図面を参照して説明する。第３実施形態は、払出モータＭＤの回転を制御する払出制御処理において、第１実施形態と相違することから、相違する払出制御処理のみについて説明する。第３実施形態において、第１実施形態と同じ構成部分には同じ記号または番号を付して説明する。
【０１１６】
第３実施形態における払出制御部２１４は、払出制御用ＣＰＵ３００、およびＲＯＭ３０２の記憶内容を除いて、図５に示す第１実施形態における払出制御部２１４とほぼ同じ構成である。第３実施形態における払出制御用ＣＰＵ３００は、１つのタイマＴＭ１を内蔵する。第３実施形態におけるＲＯＭ３０２は、図９に示す払出制御処理ＳＡ３を実行するための払出制御プログラム、および、各種の設定値を固定的に記憶する。たとえば、ＲＯＭ３０２が記憶する各種の設定値としては、払出モータＭＤの高い回転速度Ｖ１、払出モータＭＤの低い回転速度Ｖ２、払出基準時間Ｔ１などの設定値である。本実施形態では、払出モータＭＤの低い回転速度Ｖ２は、払出モータＭＤの高い回転速度Ｖ１の１／２の回転速度に設定される。
【０１１７】
（払出制御処理ＳＡ３）
第３実施形態における払出制御処理ＳＡ３の詳細について、図９を参照して説明する。図９は、第３実施形態における払出制御処理ＳＡ３の詳細な処理を示すフローチャートである。図９に示す払出制御処理ＳＡ３の各ステップは、第３実施形態における払出制御用ＣＰＵ３００が実行する処理である。払出制御用ＣＰＵ３００は、主制御用ＣＰＵ２００から払出指令を受け取ると、払出制御プログラムをＲＯＭ３０２から読み出し、その払出制御プログラムの実行を開始する。
【０１１８】
払出コイン枚数ＣＮが、ＲＡＭ３０４に一時記憶される（ＳＤ１）。具体的には、払出制御用ＣＰＵ３００は、主制御用ＣＰＵ２００から受け取った払出指令の払出コイン枚数ＣＮをＲＡＭ３０４に一時記憶する。
【０１１９】
高い回転速度Ｖ１が、モータ制御回路３０８に指令される（ＳＤ２）。モータ制御回路３０８は、高い回転速度Ｖ１に相当する高い一定の駆動電圧を払出モータＭＤに供給する。本実施形態では、モータ制御回路３０８は、払出モータＭＤの回転速度を制御しておらず、高い一定の駆動電圧を供給するのみである。このため、払出モータＭＤの回転速度は、回転ディスク１２６に積載されるコイン１３０の数量に応じて変化する。
【０１２０】
タイマＴＭ１が起動される（ＳＤ３）。具体的には、払出指令を受け取った直後においては、払出制御用ＣＰＵ３００は、その内蔵するタイマＴＭ１を起動して、払出指令を受け取った時点からの経過時間を計時させる。
【０１２１】
タイマＴＭ１が計時した経過時間ＴＸ１が、払出基準時間Ｔ１以上であるか否かが判断される（ＳＤ４）。経過時間ＴＸ１が払出基準時間Ｔ１に達しないとき（ＳＤ４：ＮＯ）、処理はステップＳＤ５に進む。経過時間ＴＸ１が払出基準時間Ｔ１以上であるとき（ＳＤ４：ＹＥＳ）、処理はステップＳＤ１０に進む。本実施形態では、払出基準時間Ｔ１は、０．５秒に設定される。
【０１２２】
経過時間ＴＸ１が払出基準時間Ｔ１に達しないとき、コイン払出検出信号を受け取ったか否かが判断される（ＳＤ５）。コイン払出検出信号を受け取ったと判断されないとき（ＳＤ５：ＮＯ）、処理はステップＳＤ４に戻される。コイン払出検出信号を受け取ったと判断されたとき（ＳＤ５：ＹＥＳ）、処理はステップＳＤ６に進む。
【０１２３】
ステップＳＤ６〜ＳＤ９の処理は、第１実施形態におけるステップＳＢ６〜ＳＢ９の処理と同じであるので、その説明を省略する。
【０１２４】
一方、ステップＳＤ４において、経過時間ＴＸ１が払出基準時間Ｔ１以上であると判断されたとき（ＳＤ４：ＹＥＳ）、処理はステップＳＤ１０に進む。すなわち、経過時間ＴＸ１が払出基準時間Ｔ１以上である場合は、払出指令を受け取ってから払出基準時間Ｔ１が経過しても、１枚目のコイン１３０の払い出しが行われない場合であるので、貯留ボウル１１０に貯留されているコイン１３０の数量が少なくなって、コイン１３０が回転ディスク１２６の受入部１２６Ａの縁部に当たって飛び跳ねる現象が発生しているおそれがある。
【０１２５】
低い回転速度Ｖ２が、モータ制御回路３０８に指令される（ＳＤ１０）。モータ制御回路３０８は、低い回転速度Ｖ２に相当する低い一定の駆動電圧を払出モータＭＤに供給する。本実施形態では、モータ制御回路３０８は、払出モータＭＤの回転速度を制御しておらず、低い一定の駆動電圧を供給するのみである。このため、払出モータＭＤの回転速度は、回転ディスク１２６に積載されるコイン１３０の数量に応じて変化する。経過時間ＴＸ１が払出基準時間Ｔ１以上であると一旦判断されると、ステップＳＤ１０における低い回転速度Ｖ２の指令により、払出モータＭＤの低い回転速度Ｖ２が継続して指令される。この結果、コイン１３０が飛び跳ねる現象が低減される状態において回転ディスク１２６が回転される。
【０１２６】
タイマＴＭ１の計時動作が停止され、タイマＴＭ１の経過時間ＴＸ１が「０」にリセットされる（ＳＤ１１）。
【０１２７】
コイン払出検出信号を受け取ったか否かが判断される（ＳＤ１２）。コイン払出検出信号を受け取ったと判断されないとき（ＳＤ１２：ＮＯ）、ステップＳＤ１２の判断が繰り返される。コイン払出検出信号を受け取ったと判断されたとき（ＳＤ１２：ＹＥＳ）、処理はステップＳＤ１３に進む。
【０１２８】
コイン払出検出信号を受け取ったと判断されたとき、払出コイン枚数ＣＮが１つ減算されてＲＡＭ３０４に一時記憶される（ＳＣ１５）。
【０１２９】
払出コイン枚数ＣＮが「０」であるか否かが判断される（ＳＤ１４）。払出コイン枚数ＣＮが「０」でないと判断されたとき（ＳＤ１４：ＮＯ）、処理はステップＳＤ１２に戻される。払出コイン枚数ＣＮが「０」であると判断されたとき（ＳＤ１４：ＹＥＳ）、処理はステップＳＤ９に進む。
【０１３０】
［第３実施形態の効果］
第３実施形態では、タイマＴＭ１は、１枚目のコイン１３０の払い出しにおいて、払出指令を受け取った時点からの経過時間を経過時間ＴＸ１として計時し、２枚目以降のコイン１３０の払い出しにおいて、先のコイン１３０が払い出された時点からの経過時間を経過時間ＴＸ１として計時する。ステップＳＤ４において、経過時間ＴＸ１が払出基準時間Ｔ１以上であると一旦判断されると、ステップＳＤ１０において、払出モータＭＤの低い回転速度Ｖ２が指令される。この低い回転速度Ｖ２の指令に従う払出モータＭＤの回転は、払出コイン枚数ＣＮだけコイン１３０が払い出されるまで継続される。この結果、経過時間ＴＸ１が払出基準時間Ｔ１以上であると判断されたことにより、貯留ボウル１１０に貯留されたコイン１３０の数量が少ないと考えられる場合には、払出モータＭＤを低い回転速度Ｖ２で回転させることにより、コイン１３０が飛び跳ねる現象が低減されると考えられる。低い回転速度Ｖ２での回転により、払出コイン枚数ＣＮだけコイン１３０を払い出す時間が飛び跳ねる現象により長くなることを低減することができる。
【０１３１】
第３実施形態では、第１実施形態と同様に、払出制御用ＣＰＵ３００は、貯留ボウル１１０に貯留されたコイン１３０の数量が、コイン１３０の飛び跳ねる現象が発生する数量まで少なくなったか否かを、タイマＴＭ１の経過時間ＴＸ１が払出基準時間Ｔ１以上であるか否かにより、判断する。この結果、貯留ボウル１１０に貯留されたコイン１３０の数量を計量する特別な手段を必要とすることなく、払出コイン枚数を計数するためにコインホッパ１００に本来備えられるコイン払出センサＳＧ７を利用することから、貯留ボウル１１０に貯留されたコイン１３０の数量の変化を判断する構成を簡易にすることができる。
【０１３２】
＜構成の対応関係＞
コインホッパ１００、貯留ボウル１１０、回転ディスク１２６、受入部１２６Ａ、コイン１３０、および払出モータＭＤは、本発明のコインホッパ、貯留ボウル、回転ディスク、受入部、コイン、および払出モータの一例である。払出制御部２１４は、本発明のコイン払出制御装置の一例である。払出制御用ＣＰＵ３００と、ステップＳＢ２、ＳＢ１０、ＳＢ１４、ステップＳＣ１、ＳＣ１０、ＳＣ１６、または、ステップＳＤ２、ＳＤ１０との組み合わせが、本発明の指令部の一例である。モータ制御回路３０８が、本発明の回転制御部の一例である。コイン払出センサＳＧ７が、本発明のコイン検出部の一例である。払出制御用ＣＰＵ３００と、タイマＴＭ１と、ステップＳＢ３、ＳＢ７、ＳＢ１１、ステップＳＣ３、ＳＣ７、ＳＣ１１、または、ステップＳＤ３、ＳＤ７、ＳＤ１１と、ステップＳＢ４、ステップＳＣ４、または、ステップＳＤ４との組み合わせが、本発明の判断部の一例である。払出制御用ＣＰＵ３００と、タイマＴＭ１と、ステップＳＢ３、ＳＢ７、ＳＢ１１、ステップＳＣ３、ＳＣ７、ＳＣ１１、または、ステップＳＤ３、ＳＤ７、ＳＤ１１との組み合わせが、本発明のパラメータ発生部の一例である。経過時間ＴＸ１が、本発明のパラメータの一例であり、第１経過時間、または第２経過時間の一例である。払出基準時間Ｔ１が、本発明のコインの所定数量に相当する数量の一例、および、所定の経過時間の一例である。回転速度Ｖ１が、本発明の所定の回転速度の一例であり、回転速度Ｖ２が、本発明の所定の回転速度より低い回転速度の一例である。モータ停止時間Ｔ２が、払出モータの回転が停止される所定時間の一例であり、モータ低速時間ＴＬが、払出モータが低い回転速度で回転される所定時間の一例である。
【０１３３】
＜変形例＞
本発明は、第１乃至第３実施形態に限定されることはなく、その趣旨を逸脱しない範囲において種々の変形が可能である。以下にその変形の一例を述べる。
【０１３４】
（１）第１乃至第３実施形態では、貯留ボウル１１０に貯留されるコイン１３０の数量が飛び跳ねる現象が発生する程度まで減少したか否かを判断するために、タイマＴＭ１の経過時間ＴＸ１が払出基準時間Ｔ１以上であるか否かにより判断する構成であるが、この構成に限定されない。たとえば、払出モータＭＤに供給される駆動電流を測定する電流測定回路が、モータ制御回路３０８に設けられる。貯留ボウルに貯留されるコインの数量の減少に伴って、その電流測定回路により測定された駆動電流の電流値が、飛び跳ねる現象が発生する程度の所定の駆動電流の電流値まで減少したか否かを、払出制御用ＣＰＵが判断する構成であってもよい。この変形例における駆動電流の電流値は、払出モータＭＤに加わる負荷の大きさを表すパラメータの一例であり、電流測定回路は、本発明の負荷測定部の一例である。
【０１３５】
（２）第１乃至第３実施形態では、回転ディスク１２６は、多数の受入部１２６Ａを有する構成であるが、受入部１２６Ａの個数は限定されず、回転ディスク１２６は、少なくとも１つの受入部１２６Ａを有する構成であればよい。
【０１３６】
（３）第１実施形態では、払出モータＭＤの停止時間は、モータ停止時間Ｔ２により決定され、０．５秒に設定されるが、この設定された時間に限定されない。また、第２実施形態では、払出モータＭＤの低速での回転時間は、モータ低速時間ＴＬにより決定され、１．０秒に設定されるが、この設定された時間に限定されない。モータ停止時間Ｔ２、およびモータ低速時間ＴＬは、貯留ボウル１１０、および回転ディスク１２６などの機械的構成と、払出モータＭＤの特性とに応じて決定され、実験を通して決定される。
【０１３７】
（４）第２および第３実施形態では、コイン１３０が飛び跳ねる現象を低減するための払出モータＭＤの回転速度は、回転速度Ｖ１より低い回転速度Ｖ２の指令に従って制御される構成である。回転速度Ｖ２の数値は、貯留ボウル、および回転ディスクなどの機械的構成と、払出モータの特性とに応じて決定され、実験を通して決定される。
【０１３８】
（５）第１乃至第３実施形態では、モータ制御回路３０８は、回転速度Ｖ１、または回転速度Ｖ２に相当する駆動電圧を払出モータＭＤに供給し、速度フィードバックにより払出モータＭＤの回転速度を速度制御する構成ではないが、速度フィードバックにより所定の回転速度に速度制御する構成であってもよい。
【０１３９】
（６）第１乃至第３実施形態では、貯留ボウル１１０に貯留されるコイン１３０の数量が飛び跳ねる現象が発生する程度まで減少したか否かを判断するために、タイマＴＭ１の経過時間ＴＸ１が払出基準時間Ｔ１以上であるか否かにより判断する構成である。この構成に代えて、払出モータＭＤに加わる負荷、または、貯留ボウル１１０に貯留されるコイン１３０の重量を測定する測定手段を備えた変形例では、主制御用ＣＰＵ２００が払出指令を払出制御部２１４に供給する前に、払出制御部２１４は、貯留ボウル１１０に貯留されるコイン１３０の数量が飛び跳ねる現象が発生する程度まで減少したことを判断することができる。この変形例では、払出制御部２１４は、払出指令を受け取った時点から、モータ制御回路３０８に低い回転速度Ｖ２を指令することができる。また、この変形例では、払出指令を受け取った時点から、払出制御部２１４は、所定時間、低い回転速度Ｖ２を指令した後に、所定時間、払出モータＭＤの停止を指令する構成であってもよい。
【符号の説明】
【０１４０】
１    スロットマシン
１００    コインホッパ
１１０    貯留ボウル
１２６    回転ディスク
１２６Ａ    受入部
１３０    コイン
２１４    払出制御部
３００    払出制御用ＣＰＵ
３０８    モータ制御回路
ＭＤ    払出モータ
ＳＧ７    コイン払出センサ
ＴＭ１、ＴＭ２    タイマ
ＴＸ１、ＴＸ２    経過時間,
Ｔ１    払出基準時間
Ｔ２    モータ停止時間
ＴＬ    モータ低速時間
Ｖ１、Ｖ２    回転速度
【図１】
2016220729.tif 000003
【図２】
2016220729.tif 000004
【図３】
2016220729.tif 000005
【図４】
2016220729.tif 000006
【図５】
2016220729.tif 000007
【図６】
2016220729.tif 000008
【図７】
2016220729.tif 000009
【図８】
2016220729.tif 000010
【図９】
2016220729.tif 000011